(57)【特許請求の範囲】
【請求項１】
上下左右枠を連結した枠体と、前記下枠に載せ横にスライドする下スライド扉と、前記下スライド扉に載せるとともに前記上枠に嵌めて横にスライドする上スライド扉とからなり、
さらに、前記下スライド扉の上部に穴を有する受けを設けるとともに、前記上スライド扉に回動する解除ノブ及び前記解除ノブの回動に連動し上下動し、スプリングで常に下に押され、前記穴に嵌合する係止部材を設け、
前記下スライド扉の上部の凹部に前記係止部材を嵌める止溝を設けた隙間を有するガイドを取り付けるとともに、前記上スライド扉の底部には前記凹部に嵌る左右ガイド及び前記左右ガイドの内側に、前記隙間に嵌り横回転する回転体を有する滑車とを設けてなる引き戸であって、
前記穴に前記係止部材が嵌り前記上下スライド扉が連結し、前記解除ノブを回動させ前記係止部材を上に引き上げることで連結が解除され、前記上スライド扉と下スライド扉が前記係止部材で連結しているときは、前記上スライド扉及び下スライド扉が一体の扉として開け閉めでき、前記係止部材の連結を解除することで、前記上スライド扉のみをスライドすることができ、
前記上スライド扉をスライドさせ前記係止部材が前記止溝の位置に到達すると前記止溝に前記係止部材が前記スプリングによって突き刺さり、前記上スライド扉のスライドを止め、前記上スライド扉の脱落を防止したことを特徴とする引き戸。
【請求項２】
前記下スライド扉の上部一端にストッパー、他端に凹部を設けるとともに、前記上スライド扉の底部一端に前記ストッパーと嵌合する窪み、他端に前記下スライド扉の上部の凹部に嵌合する突出部を設けたことを特徴とする請求項１に記載の引き戸。
【発明の詳細な説明】
【技術分野】
【０００１】
本発明は、浸水等の緊急時に避難口を確保することができる扉を有する緊急脱出ドアに関する。
【背景技術】
【０００２】
集中豪雨が発生した場合、都心では短時間で地下室に雨水が流入し、郊外でも河川が氾濫し、住宅街を浸水させることがしばしば起こる。このとき人は屋内から脱出しなければならい。ところが、水圧によってドアが開かなく、逃げ遅れて死亡することもある。
【０００３】
そのため、緊急時の脱出用扉を有するドアとして、多くの発明が公開されている。特許文献１には、地下室に設けられる外開きのドアであって、ドア本体４の一部を開講して、該開口部に内開きの補助扉６設けたことを特徴とし、異常出水によって地下室のドアを開けることが不可能となる緊急時に、脱出を可能とする脱出用補助扉付き地下室のドアが公開されている。
【特許文献１】特開平２００１−２３４６７６号公報
【０００４】
また、特許文献２には、蝶番（１１）、カギ（１３）把手等（１２）を備えるドア（１）の上半分に、縦６０センチ以上、横４０センチ以上の大きさで、かつ蝶番（２１）、カギ手段（２３）、把手等（２２）を有するドア（２）があることを特徴とし、水害の水圧でドアが開かない場合及び地震でドアが開かなくとも人が脱出できる簡単な構成のドア付きドアが公開されている。
【特許文献２】特開２００１−０９０４５０号公報
【発明の開示】
【発明が解決しようとする課題】
【０００５】
しかしながら、特許文献１に記載の発明は、上から下に開く補助扉６であり、通路側１２が浸水しても開口部５を確保できる確率が高い。しかし、補助扉６は、補助扉６の上端部側の開口部５周縁に設けられた止め金具８によって、通常閉鎖状態に保たれており、緊急時には、ドア本体４に設けられた踏口９を足掛かりとして、止め金具８を外し、補助扉６を開放する構成である。踏口９があるものの子供、老人、ケガ人等には、高い位置にある止め金具８を外すことができないことが想定される。
【０００６】
また、泥棒に一見して補助扉６が存在していることを把握され、また防犯対策が講じられていないことから補助扉６を簡単に破壊、開放されてしまう危険性が高く、セキュリティー上問題である。玄関ドアとして使用することは実用性がない。
【０００７】
一方、特許文献２に記載の発明は、カギ手段２３が取り付けられており、防犯対策がなされている。しかし、カギ手段は具体的には説明されていないが、キーによって解除するカギ手段２３である場合、緊急時にキーが見つからないことにより逃げ遅れることが十分考えられる。
【０００８】
そこで、本発明は、水圧によってドアが開かなくなった場合でも、災害弱者といわれるような人であっても、容易かつ確実に緊急脱出用の避難口を確保し、さらに防犯対策も講じた簡易な構成の緊急脱出ドアを提供することを目的とするものである。
【課題を解決するための手段】
【０００９】
本発明は、上記の課題を解決するために、第１に、枠体２と、前記枠体２に回動する留具５で連結された上扉３と、前記枠体２に回動する留具６で連結された下扉４と、前記上扉３と下扉４を連結する係止部材９ｂからなり、前記係止部材９ｂは前記上扉３の背板３ｃ側に取り付けられた解除ノブ９の回動に連動して動作し、前記上扉３及び下扉４が前記係止部材９ｂで連結されているときは一体の扉２２として開け閉めでき、前記係止部材９ｂによる連結を解除することで、前記上扉３のみを外側に開けることができることを特徴とする緊急脱出ドアの構成とした。
【００１０】
第２に、枠体１０と、前記枠体１０に嵌め込むみ横にスライドする上スライド扉１１及び下スライド扉１２からなり、前記上スライド扉１１と下スライド扉１２が係止部材１１ｍで連結しているときは、前記上スライド扉１１及び下スライド扉１２が一体の扉２３として開け閉めでき、前記係止部材１１ｍの連結を解除することで、前記上スライド扉１１のみをスライドすることができることを特著とする緊急脱出ドアの構成とした。
【００１１】
第３に、枠体１９と、前記枠体１９に嵌め込むみ横にスライドする上スライド扉１１及び下スライド扉１２からなる２組の引き違い扉２３であって、前記上スライド扉１１と下スライド扉１２が係止部材１１ｍで連結しているときは、前記上スライド扉１１及び下スライド扉１２が一体の扉２３として開け閉めでき、前記係止部材１１ｍの連結を解除することで、前記上スライド扉１１のみをスライドすることができることを特著とする緊急脱出ドアの構成とした。
【発明の効果】
【００１２】
本発明は、以上の構成であるから以下の効果が得られる。第１に、水圧によってドアが開かなくなった場合でも、災害弱者といわれるような人であっても、容易かつ確実に緊急脱出用の避難口を確保することができる。補助扉が一見して把握することができないため、本発明を玄関ドアとして使用しても防犯上問題がない。
【００１３】
第２に、スライド式を採用することで流木、人工物等で外側に開くことが不可能の場合でも避難口を確保することが十分可能である。
【発明を実施するための最良の形態】
【００１４】
水圧によってドアが開かなくなった場合でも、災害弱者といわれるような人であっても、容易かつ確実に緊急脱出用の避難口を確保し、さらに防犯対策も講じた簡易な構成の緊急脱出ドアを提供する目的を、上扉及び下扉を枠の内部に回動するよう連結し、屋内に取り付けられている解除ノブを回転させることで、前記解除ノブの回転に連動して動作し、一体の扉となっている上扉を容易に下扉から開放できる係止部材を採用することで実現した。
【実施例１】
【００１５】
以下、添付図面に基づき、本発明である緊急脱出ドアについて詳細に説明する。図１は、本発明である緊急脱出ドアの正面斜視図である。図２は、本発明である緊急脱出ドアの背面斜視図である。
【００１６】
本発明である緊急脱出ドア１は、枠体２と、前記枠体２に回動する留具５で連結された上扉３と、前記枠体２に回動する留具６で連結された下扉４と、前記上扉３と下扉４を連結する係止部材９ｂからなり、前記係止部材９ｂは前記背板３ｃ側に取り付けられた解除ノブ９の回動に連動して動作し、前記上扉３及び下扉４が前記係止部材９ｂで連結されているときは一体の扉２２として開け閉めでき、前記係止部材９ｂによる連結を解除することで、前記上扉３のみを外側に開けることができることを特徴とする。
【００１７】
緊急脱出ドア１は、通常は玄関ドア、勝手口、屋内の各部屋、トイレ等設置される場所は限定されない。さらに、一戸建て、マンション、アパート、店舗等建物の種類、木造、鉄筋製などの建物の構造にも限定されることなく使用できる。加えて、ドアの素材も木製、金属性等限定されることなく、通常流通しているドアの素材を使用することができる。
【００１８】
なお、ここでは、片開きのドアについて説明したが両開きドアに対しても、使用できることは勿論である。ドアのサイズは一般に人が出入りする大きさのものである。
【００１９】
枠体２は、壁に埋め込み又は壁面に固定され、上扉３、下扉４を留具５、６を支点に回動するように嵌め込む空間を有する。なお、玄関等外部との仕切りとしてのドアである場合には、枠体２底部を地面に埋設することもできる。また、枠体２の底部を除いた、下向きのコの字形状とし、枠体２の底部に該当する部分を地面とすることもできる。
【００２０】
上扉３は、浸水の圧力によって開かなくなった緊急時に避難口を開放する扉であり、上枠板３ｄ、下枠板３ｅ、左枠板３ｆ、右枠板３ｇによってできる略四角形の枠の開口部に、正面板３ｂ、背板３ｃを貼り付けた構造が簡易である。
【００２１】
下扉４は、ドアの下部に位置し、上枠板４ｄ、下枠板４ｅ、左枠板４ｆ、右枠板４ｇによってできる略四角形の枠の開口部に、正面板４ｂ、背板４ｃを貼り付けた構造が簡易である。
【００２２】
これら上扉３、下扉４は、枠体２に留具５、６によって連結され、嵌る。留具５、６蝶番等ドアを回動可能に取り付けることができる通常ドアに使用されているものであれば特に限定しない。
【００２３】
上扉３、下扉４との隙間、上扉３及び下扉４と枠体２の隙間を覆うように、上扉３の正面板３ｂには内枠３ａを、下扉４の正面板４ｂには内枠４ａを取り付けることが望ましい。
【００２４】
内枠３ａは、上扉３の正面板３ｂの外周部と、枠体２を覆うよう枠状構造にし、内枠４ａは、下扉４の正面板４ｂの外周部と、枠体２を覆うよう上向きのコの字状構造である。
【００２５】
これによりドアの気密性が増し、冷暖房効率を低下させず、風雨の屋内への侵入を防止する効果が得られる。また、浸水時のときも水の屋内への進入を防止・遅延する効果が期待でき、屋内の家具、電気性品を保護し、緊急時の避難時間をより長く確保することができる。
【００２６】
さらに、一見しただけでは扉２２が上扉３と下扉４に別れる構造であること分らないため、上扉３を壊され屋内に侵入されることがなく、防犯上の効果も得られる。
【００２７】
外ノブ７、内ノブ８は、ドアの開閉をするため手で握る部材である。レバータイプ、玉タイプ等何れでもよい。さらに、玄関等屋内と屋外を仕切るドアとして使用する場合は、施錠機構をもつ、一般に流通している円筒錠、インテグラル錠、ケースロック、面付箱錠を使用する。これにより通常の防犯機能を付与することができる。
【００２８】
また、上扉３、下扉４が屋内に過剰に回動しないよう枠体２の屋内側に、枠体２と上扉３、及び下扉４の隙間を覆うように、上扉３から下扉４の縦の長さに対応する止板２ａを設置するとよい。なお、枠体２と扉２２が嵌合する構造をとってもよい。
【００２９】
図３は、図１の一点破線Ａ−Ａ’位置における縦断面図である。解除ノブ９は、上扉３と下扉４を連結し、普段は一体の扉２２として使用できるように、上下に動作する係止部材９ｂに連結する連結部材９ａに連結する。
【００３０】
係止部材９ｂは、屋内２０側にある解除ノブ９を左右に回動させると、連動してここでは上下に動作する所謂ラッチボルト等である。係止部材９ｂは、普段は下扉４の上枠板４ｄに穿設した孔、下扉４の上部に取り付けたフロント９ｃの孔を貫通し、前記孔に対応した上扉３の下枠板３ｅの穴３ｈとその穴３ｈに対応した下枠板３ｅに取り付けられた受け９ｄ孔に嵌合し、上扉３、下扉４を一体の扉２２として連結する。
【００３１】
係止部材９ｂを解除するには、背板４ｃに穿設された孔を貫通する連結部材９ａに接続され、解除ノブ９を回動し、連結部材９ａを介して、下に下ろす。これにより上扉３は、下扉４と連結が解除され、上扉３のみを屋外２１に開くことができ、そこが緊急時の避難口となる。
【００３２】
なお、下扉４は概ね３０センチ以上１メートル以下程度の高さがよい。水圧でドアが開かなくなる水位は約４０センチと言われており、３０センチ以下の水圧では、わざわざ上扉３を開放し、避難口を設ける必要がないからである。また１メートル以上の高さであれば、下扉４を超えて容易に避難口から逃げることができなくなる恐れがあるからである。
【００３３】
ただし、緊急脱出ドア１の近傍に踏台を普段から準備し、緊急時に使用できるのであれば、１メートル以上あっても構わないのは勿論である。水圧だけでなく流木、人工物が緊急脱出ドア１の屋外２１に流れ込むことも想定できることから、上扉３は、地上かあらなるべく高い位置に設けること、つまり下扉４の高さが高い方がよいこともある。
【００３４】
また、普段一枚扉２２として、上扉３、下扉４を使用する場合、扉２２が閉じている状態を保つ必要がある。そのため、枠体２の側面と対応する上扉３の側面に仮締め機構を付加する。具体的には、枠体２にラッチボルト２ｂを、上扉３にはストライク２ｃを取り付ければよい。
【００３５】
ラッチボルト２ｂは、先端が三角形状のボルトであり、通常はスプリングの力で取り付け面から常に突出するように付けられている。扉を閉めたときに、扉側の対応する位置に取り付けられたストライクの縁に当たって、ボルトが押し込められ、扉が完全に閉じられるとストライクの穴にボルトが滑り込んで自動的に扉が固定される。扉を開けるときはノブを回動させること、或いは開放のとき自動的にボルトが押し込められる。錠と一体となった仮締め機構を用いてもよい。
【００３６】
図４は、本発明である緊急脱出ドアの上下扉の見開き正面図斜視図である。図４にあるように、普段の使用に際しては、外ノブ７を外側に引くこと、内ノブ８を外側に押すことによって、上扉３と下扉４が連結した一体の扉２２を開きくことができる。
【００３７】
一方、一体の扉２２を閉じる場合は、外ノブ７を屋内２０側に押すこと、内ノブ８を屋内２０側に引くことよって、上扉３と下扉４が連結した一体の扉２２を閉じることができる。このとき、枠体２に取り付けたラッチボルト２ｂが、上扉３に取り付けられたストライク２ｃに嵌り込み、一体の扉２２の閉鎖状態を保持することができる。
【００３８】
図５は、本発明である緊急脱出ドアの上扉の見開き正面斜視図である。図５にあるように、緊急時には、下扉４の背板４ｃに突出した解除ノブ９を回動させ、一端係止部材９ｂを下方に下げつつ、上扉３を正面板３ｂ方向に押しやることで、下扉４と分離して開くことができる。
【００３９】
これにより、避難口１８が確保される。なお、係止部材９ｂは、普段は常に下扉４の上枠板４ｄから突出した状態にある。先端は三角形状で外側が斜めに傾斜しており、屋内２０側は垂直に形成されている。従って、解除ノブ９を回動させなければ外ノブ７を外側に引いただけでは、上扉３を開くことはできない。つまり上扉３を開くことは屋内２０からでしかできない。
【実施例２】
【００４０】
図６は、本発明である緊急脱出ドアの第２の実施例の正面斜視図である。本発明の第２の実施形態である緊急脱出ドア１ａは、枠体１０と、前記枠体１０に嵌め込むみ横にスライドする上スライド扉１１及び下スライド扉１２からなり、前記上スライド扉１１と下スライド扉１２が係止部材１１ｍで連結しているときは、前記上スライド扉１１及び下スライド扉１２が一体の扉２３として開け閉めでき、前記係止部材１１ｍの連結を解除することで、前記上スライド扉１１のみをスライドすることができることを特著とする。
【００４１】
緊急脱出ドア１ａの設置される場所、建物の種流、建物の構造、及びドアの素材等は実施例１と同様である。また、円筒錠、インテグラル錠、ケースロック、面付箱錠を取り付けてもよい。これにより通常の防犯機能を付与することができる。
【００４２】
枠体１０は、開口部でない部分を壁に埋め込み又は、壁１７面に取り付ける。枠体１０には、下部内面にレール１０ａを設け、上部内面には溝を設けることで、上スライド扉１１及び下スライド扉１２からなる一体の扉２３を嵌め込むことができる。下スライド扉１２の下部に戸車１５を取り付け、レール１０ａの上を転がすことで、扉の左右のスライドが容易になる。
【００４３】
なお、レール１０ａと溝によらない、枠体１０上部内面から吊す方法、レール１０ａに代えて、枠体１０の下部内面に溝を設けスライドする方法等、横にスライドする扉を枠に嵌める通常の嵌め込み方法を採用できるのは勿論である。
【００４４】
図７は、第２の実施例の上下スライド扉１２を一体としてスライドしたときの正面斜視図である。緊急脱出ドア１ａの上スライド扉１１及び下スライド扉１２は、実施例１で説明したように、係止部材１１ｍで普段は連結し、一体の扉２３として、左右にスライドさせて使用することができる。
【００４５】
図８は、第２の実施例の上スライド扉のみをスライドしたときの正面斜視図である。図８にあるように、緊急時には、上スライド扉１１の正面板１１ｃに突出した解除ノブ１１ａを回動させ、係止部材１１ｍを上に引き上げ、下スライド扉１２の上部に設けられた受け１６の穴１６ａから解除され、同時に上スライド扉１１を横にスライドすることで、下スライド扉１２と分離して開くことができる。
【００４６】
これにより、避難口１８が確保さる。なお、係止部材１１ｍは、普段は常に上スライド扉１１から下に突出した状態にある。
【００４７】
図９は、上スライド扉の斜視図である。上スライド扉１１は、浸水の圧力によって開かなくなった緊急時に避難口１８を開放する扉であり、上枠板１１ｅ、下枠板１１ｆ、左枠板１１ｇ、右枠板３ｇによってできる略四角形の枠の開口部に、正面板１１ｃ、背板１１ｄを貼り付けた構造が簡易である。
【００４８】
なお、このとき左枠板１１ｇの下端を短く、右枠板１１ｈの下端を長くし、下スライド扉１２と嵌合する形状にすることが望ましい。これにより上スライド扉１１と下スライド扉１２の連結強度が増す。
【００４９】
また、上枠板１１ｅの上部は、凸部１１ｉを設ける。これにより、枠体１０の上部内面に設けた溝と咬み合う。従って、上スライド扉１１及び下スライド扉１２の枠体１０への嵌め込み方法が異なれば、当然凸部１１ｉである必要がない。
【００５０】
さらに、正面板１１ｃには、扉を開くときに手を掛ける取手１１ｂを設ける。下枠板１１ｆには、滑車１１ｋを設けるとよい。この上スライド扉１１の左右へのスライドが滑らかになる。滑車１１ｋは、横回転する回転体１１ｏを軸に嵌め込み抜け防止した構造がよい。
【００５１】
加えて、下枠板１１ｆには、２つのガイド１１ｊを取り付けることが望ましい。これにより、上スライド扉１１が前後にぐらつくことを防止することができる。
【００５２】
上スライド扉１１と下スライド扉１２とを連結するには、実施例１で説明したと同様の係止部材１１ｍと、係止部材１１ｍに連結し、正面板１１ｃに穿設した孔を貫通した連結部材１１ｎと、連結部材１１ｎに接続した正面板１１ｃ側に設けられる回動（両矢印）する解除ノブ１１ａによる。
【００５３】
係止部材１１ｍは、普段は上スライド扉１１の下枠板１１ｆに穿設した孔、下枠板１１ｆの底面に取り付けたフロント１１ｌの孔を貫通し、前記孔に対応した下スライド扉１２の上枠板１２ｃに取り付けた受け１６の穴１６ａに嵌合し、上スライド扉１１、下スライド扉１２を一体の扉２３として連結する。
【００５４】
図１０は、下スライド扉の斜視図である。下スライド扉１２は、扉２３の下部に位置し、上枠板１２ｃ、下枠板１２ｄ、左枠板１２ｅ、右枠板１２ｆによってできる略四角形の枠の開口部に、正面板１２ａ、背板１２ｂを貼り付けた構造が簡易である。
【００５５】
なお、このとき左枠板１２ｅ上部には板状のストッパー１４を取り付ける、正面板１２ａ、背板１２ｂよりやや突出させ、一方右枠板１２ｆは、正面板１２ａ、背板１２ｂよりやや凹ませるとよい。これにより前記上スライド扉１１の底面と嵌合することができる。
【００５６】
また、上枠板１２ｃは、上にコの字状の部材で、上部の凹部１２ｇに上スライド扉１１のガイド１１ｊが挟み込まれる。また、上スライド扉１１の底部に滑車１１ｋを取り付けた場合は、上にコの字状で、内側に突出したカギ部１２ｈを有するガイド１３を取り付ける。
【００５７】
これにより、滑車１１ｋがカギ部１２ｈによって形成される隙間１２ｉに挟まれ、上スライド扉１１が前後にぐらつくことなく、滑らかに左右に動く。
【００５８】
加えて、隙間１２ｉの末端近傍のカギ部１２ｈに係止部材１１ｍが嵌るような形状である止溝１２ｊを設けるとよい。上スライド扉１１がスライドするとき係止部材１１ｍは、カギ部１２ｈがあるため、上スライド扉１１内部に押し込められている。
【００５９】
係止部材１１ｍが止溝１２ｊの位置に到達すると、スプリングによって係止部材１１ｍが止溝１２ｊに突き刺さり、それ以上に上スライド扉１１がスライドすることがない。これにより、上スライド扉１１が全開せず、脱落することがなくなる。
【００６０】
下枠板１２ｄの底面には、戸車１５を設けるが、上に凹む凹部１２ｋに取り付けても良い。なお、下スライド扉１２は概ね３０センチ以上１メートル以下程度の高さがよい。実施例１の下扉４と同様の理由である。
【実施例３】
【００６１】
図１１は、本発明である緊急脱出ドアの第３の実施例の正面斜視図である。本発明である第３の実施形態である緊急脱出ドア１ｂは、枠体１９と、前記枠体１９に嵌め込むみ横にスライドする上スライド扉１１及び下スライド扉１２からなる２組の引き違い扉２３であって、前記上スライド扉１１と下スライド扉１２が係止部材１１ｍで連結しているときは、前記上スライド扉１１及び下スライド扉１２が一体の扉２３として開け閉めでき、前記係止部材１１ｍの連結を解除することで、前記上スライド扉１１のみをスライドすることができることを特著とする。
【００６２】
緊急脱出ドア１ｂは、実施例２の上スライド扉１１、下スライド扉１２からなる扉２３を２組、引き違い扉２３として使用したものである。従って、枠体１９に２組の扉２３をそれぞれ滑らすレール１９ａ、レール１９ｂを設置し、２組の扉２３を嵌め込む枠体１９の上部内面に溝を設けたこと以外変わらない。
【００６３】
これにより、左右に避難口１８を確保することが可能であり、一方が開かなくなった場合でも避難口１８を確保することができ、実施例２よりより安全が増す。
【図面の簡単な説明】
【００６４】
【図１】本発明である緊急脱出ドアの正面斜視図である。
【図２】本発明である緊急脱出ドアの背面斜視図である。
【図３】図１の一点破線Ａ−Ａ’位置における縦断面図である。
【図４】本発明である緊急脱出ドアの上下扉の見開き正面図斜視図である。
【図５】本発明である緊急脱出ドアの上扉の見開き正面斜視図である。
【図６】本発明である緊急脱出ドアの第２の実施例の正面斜視図である。
【図７】第２の実施例の上下スライド扉を一体としてスライドしたときの正面斜視図である。
【図８】第２の実施例の上スライド扉のみをスライドしたときの正面斜視図である。
【図９】上スライド扉の斜視図である。
【図１０】下スライド扉の斜視図である。
【図１１】本発明である緊急脱出ドアの第３の実施例の正面斜視図である。
【符号の説明】
【００６５】
１      緊急脱出ドア
１ａ    緊急脱出ドア
１ｂ    緊急脱出ドア
２      枠体
２ａ    止板
２ｂ    ラッチボルト
２ｃ    ストライク
３      上扉
３ａ    内枠
３ｂ    正面板
３ｃ    背板
３ｄ    上枠板
３ｅ    下枠板
３ｆ    左枠板
３ｇ    右枠板
３ｈ    穴
４      下扉
４ａ    内枠
４ｂ    正面板
４ｃ    背板
４ｄ    上枠板
４ｅ    下枠板
４ｆ    左枠板
４ｇ    右枠板
５      留具
６      留具
７      外ノブ
８      内ノブ
９      解除ノブ
９ａ    連結部材
９ｂ    係止部材
９ｃ    フロント
９ｄ    受け
１０    枠体
１０ａ  レール
１１    上スライド扉
１１ａ  解除ノブ
１１ｂ  取手
１１ｃ  正面板
１１ｄ  背板
１１ｅ  上枠板
１１ｆ  下枠板
１１ｇ  左枠板
１１ｈ  右枠板
１１ｉ  凸部
１１ｊ  ガイド
１１ｋ  滑車
１１ｌ  フロント
１１ｍ  係止部材
１１ｎ  連結部材
１１ｏ  回転体
１２    下スライド扉
１２ａ  正面板
１２ｂ  背板
１２ｃ  上枠板
１２ｄ  下枠板
１２ｅ  左枠板
１２ｆ  右枠板
１２ｇ  凹部
１２ｈ  カギ部
１２ｉ  隙間
１２ｊ  止溝
１２ｋ  凹部
１３    ガイド
１４    ストッパー
１５    戸車
１６    受け
１６ａ  穴
１７    壁
１８    避難口
１９    枠体
１９ａ  レール
１９ｂ  レール
２０    屋内
２１    屋外
２２    扉
２３    扉
【図１】
0004577569.tif 000002
【図２】
0004577569.tif 000003
【図３】
0004577569.tif 000004
【図４】
0004577569.tif 000005
【図５】
0004577569.tif 000006
【図６】
0004577569.tif 000007
【図７】
0004577569.tif 000008
【図８】
0004577569.tif 000009
【図９】
0004577569.tif 000010
【図１０】
0004577569.tif 000011
【図１１】
0004577569.tif 000012